(57)【要約】【課題】筐体の気密性の検査が容易化される携帯電子機器を提供する。【解決手段】携帯電話機１は、音孔４１及び通気孔４３が形成された筐体本体１３と、音孔４１に対向して筐体本体１３の内部に配設されたスピーカ８３と、防水性及び通気性を有し、音孔４１及び通気孔４３を閉塞する防水シート４９とを有する。また、携帯電話機１は、音孔４１及び通気孔４３が形成された領域を筐体本体１３の外側から密閉し、且つ、音孔４１及び通気孔４３を介して筐体本体１３の内部に形成される空間と外部の空間とを連通する外側孔４７が形成された化粧板２１を有する。【選択図】図４
2010109851.tif 000002
【特許請求の範囲】
【請求項１】
第１の孔部及び第２の孔部が形成された筐体と、
前記第１の孔部に対向して前記筐体の内部に配設された音響装置と、
防水性及び通気性を有し、前記第１の孔部及び前記第２の孔部を閉塞する閉塞部材と、
前記第１の孔部及び前記第２の孔部が形成された領域を筐体外側から密閉し、且つ、前記第１の孔部及び前記第２の孔部を介して前記筐体の内部に形成される空間と外部の空間とを連通する第３の孔部を構成する密閉部材と、
を有する携帯電子機器。
【請求項２】
前記第３の孔部の開口面積は、前記第１の孔部及び第２の孔部それぞれの開口面積以上であり、前記第１の孔部及び前記第２の孔部の開口面積の和よりも小さい
請求項１に記載の携帯電子機器。
【請求項３】
前記第３の孔部は、前記第１の孔部及び前記第２の孔部の少なくとも一方と重ならない位置に配置されている
請求項１又は２に記載の携帯電子機器。
【請求項４】
前記第１の孔部及び前記第２の孔部は隣接して前記筐体に形成されている
請求項１〜３のいずれか１項に記載の携帯電子機器。
【請求項５】
前記筐体と前記密閉部材との間に配置され、一方の面が前記筐体に貼り付けられ、他方の面が前記密閉部材に貼り付けられ、前記第１の孔部及び前記第２の孔部と、前記第３の孔部とを連通する第４の孔部が形成された両面接着部材を有する
請求項１〜４のいずれか１項に記載の携帯電子機器。
【請求項６】
前記筐体の外側面には、前記両面接着部材が収容される、前記両面接着部材の厚さと同等の深さの凹部が形成されている
請求項５に記載の携帯電子機器。
【請求項７】
前記音響装置は、放音装置である
請求項１〜６のいずれか１項に記載の携帯電子機器。
【請求項８】
前記密閉部材は、当該携帯電子機器の外観を構成する化粧板である
請求項１〜７のいずれか１項に記載の携帯電子機器。
【請求項９】
第１の孔部及び第２の孔部が形成され、筐体を構成するケース部材を形成する工程と、
音響装置を前記筐体の内部側から前記第１の孔部に対向させて配設する工程と、
防水性及び通気性を有する閉塞部材を前記第１の孔部及び前記第２の孔部を閉塞するように配設する工程と、
密閉部材により前記第１の孔部及び前記第２の孔部が形成された領域を筐体外側から密閉する工程と、
前記密閉部材に、又は、前記密閉部材と前記筐体との合わせ目に第３の孔部を形成する工程と、
前記筐体内への気体の供給又は排出により前記筐体内と前記筐体外とで気圧差を生じさせ、前記筐体の密閉性を検査する工程と、
を有し、
前記検査する工程では、前記第３の孔部において気体の供給若しくは排気を行い、又は、前記第３の孔部を塞いだ状態で他の孔部において気体の供給若しくは排気を行う
携帯電子機器の製造方法。
【発明の詳細な説明】
【技術分野】
【０００１】
本発明は、携帯電話機、ＰＤＡ、ゲーム機等の携帯電子機器及び当該携帯電子機器の製造方法に関する。
【背景技術】
【０００２】
防水機能を有する携帯電子機器が知られている（例えば特許文献１）。このような携帯電子機器の筐体は気密性が高く構成されていることから、急激な温度変化や大気圧の変化によって筐体内外に圧力差が生じる。このような圧力差は、筐体の変形や電子部品の破損を招くおそれがある。そこで、特許文献１の携帯電子機器の筐体には、筐体内外の圧力差を緩和するために、防水性を維持可能な通気孔が設けられている。
【特許文献１】特開平０５−３２０２５５号公報
【発明の開示】
【発明が解決しようとする課題】
【０００３】
スピーカやマイクロフォン等の音響装置を有する携帯電子機器においては、筐体に音孔が形成される。音孔は、上述の通気孔として機能させることが可能である。しかしながら、音孔には、音響装置が隣接して対向配置されることから、音孔の通気性は、音響装置の配置位置及びその精度、音響装置の構成等に影響を受ける。すなわち、音孔の通気孔としての機能は不安定である。そこで、音孔とは別個に、通気孔を設けることが考えられる。
【０００４】
また、上記のような防水機能を有する筐体の気密性を検査する方法として、筐体内に空気等の気体を供給し、筐体からの気体の漏れの有無を確認する方法が考えられる。この場合、筐体に設けられた複数の通気孔は、塞がれるか、若しくは、気体の供給に利用される。
【０００５】
従って、音孔とは別個に通気孔が設けられている場合には、音孔及び音孔とは別個の通気孔それぞれに対して、閉塞又は気体の供給を行わなければならない。その結果、検査作業が煩雑化する。
【０００６】
本発明の目的は、筐体の気密性の検査が容易化される携帯電子機器及び当該携帯電子機器の製造方法を提供することにある。
【課題を解決するための手段】
【０００７】
本発明の携帯電子機器は、第１の孔部及び第２の孔部が形成された筐体と、前記第１の孔部に対向して前記筐体の内部に配設された音響装置と、防水性及び通気性を有し、前記第１の孔部及び前記第２の孔部を閉塞する閉塞部材と、前記第１の孔部及び前記第２の孔部が形成された領域を筐体外側から密閉し、且つ、前記第１の孔部及び前記第２の孔部を介して前記筐体の内部に形成される空間と外部の空間とを連通する第３の孔部を構成する密閉部材と、を有する。
【０００８】
好適には、前記第３の孔部の開口面積は、前記第１の孔部及び第２の孔部それぞれの開口面積以上であり、前記第１の孔部及び前記第２の孔部の開口面積の和よりも小さい。
【０００９】
好適には、前記第３の孔部は、前記第１の孔部及び前記第２の孔部の少なくとも一方と重ならない位置に配置されている。
【００１０】
好適には、前記第１の孔部及び前記第２の孔部は隣接して前記筐体に形成されている。
【００１１】
好適には、前記筐体と前記密閉部材との間に配置され、一方の面が前記筐体に貼り付けられ、他方の面が前記密閉部材に貼り付けられ、前記第１の孔部及び前記第２の孔部と、前記第３の孔部とを連通する第４の孔部が形成された両面接着部材を有する。
【００１２】
好適には、前記筐体の外側面には、前記両面接着部材が収容される、前記両面接着部材の厚さと同等の深さの凹部が形成されている。
【００１３】
好適には、前記音響装置は、放音装置である。
【００１４】
好適には、前記密閉部材は、当該携帯電子機器の外観を構成する化粧板である。
【００１５】
本発明の携帯電子機器の製造方法は、第１の孔部及び第２の孔部が形成され、筐体を構成するケース部材を形成する工程と、音響装置を前記筐体の内部側から前記第１の孔部に対向させて配設する工程と、防水性及び通気性を有する閉塞部材を前記第１の孔部及び前記第２の孔部を閉塞するように配設する工程と、密閉部材により前記第１の孔部及び前記第２の孔部が形成された領域を筐体外側から密閉する工程と、前記密閉部材に、又は、前記密閉部材と前記筐体との合わせ目に第３の孔部を構成する工程と、前記筐体内への気体の供給又は排出により前記筐体内と前記筐体外とで気圧差を生じさせ、前記筐体の密閉性を検査する工程と、を有し、前記検査する工程では、前記第３の孔部において気体の供給若しくは排気を行い、又は、前記第３の孔部を塞いだ状態で他の孔部において気体の供給若しくは排気を行う。
【発明の効果】
【００１６】
本発明によれば、筐体の気密性の検査が容易化される。
【発明を実施するための最良の形態】
【００１７】
図１は、本発明の実施形態に係る携帯電話機１の外観を開状態で示す斜視図である。携帯電話機１は、いわゆる折り畳み式の携帯電話機として構成されており、開状態と閉状態との間で互いに回動可能に連結された第１筐体３及び第２筐体５を備えている。
【００１８】
第１筐体３及び第２筐体５は、それぞれの端部が回動の中心となる連結部６により連結されることにより携帯電話機１全体の筐体を構成するようになっている。第１筐体３及び第２筐体５は、それぞれ概ね薄型直方体状に形成されており、閉状態では互いに重ねあわされて互いの輪郭が略一致する。
【００１９】
なお、以下では、第２筐体５の閉状態において第１筐体３と対向する面及びその背面を対向面及び背面ということがある。
【００２０】
第１筐体３には、例えば、通話用のマイクロフォン８７（図６参照）、通信のための内蔵アンテナ８１（図６参照）、報知用のスピーカ８５（図６参照）、撮像部８９（図６参照）、ユーザの操作を受け付ける操作部７が設けられている。
【００２１】
第２筐体５には、例えば、通話用のスピーカ８３（図２参照）、第２筐体５の対向面に画像や文字を表示する表示部９が設けられている。第２筐体５の対向面には、通話用のスピーカ８３の生成した音響を放音し、また、第２筐体５の内外の通気性を確保するために形成された孔部１１が形成されている。孔部１１は、例えば、第２筐体５の連結部６とは反対側の端部において、長孔状に形成されている。
【００２２】
図２は、第２筐体５の要部の模式的な分解斜視図である。図３（ａ）は、図１のＩＩＩａ−ＩＩＩａ線における模式的な断面図である。図３（ｂ）は、図３（ａ）の領域ＩＩＩｂにおける拡大図である。図３（ｃ）は、図３（ａ）の領域ＩＩＩｃにおける拡大図である。なお、図２及び図３では、回路基板等の各種の部品の図示は省略されるとともに、図示した部品についても細部の形状等の図示は省略されている。
【００２３】
第２筐体５は、種々の電子部品を収容する筐体本体１３を有している。また、第２筐体５は、筐体本体１３の正面側部分を覆って第２筐体５の正面側の外観を構成する透光板１９及び化粧板２１を有している。これらの部材は、防水性（水を透さない性質）及び気密性（空気等の気体を透さない性質）を有する材料により形成されている。
【００２４】
筐体本体１３は、筐体本体１３の正面側部分を構成するフロントケース１５と、背面側部分を構成するリアケース１７とを有している。
【００２５】
フロントケース１５及びリアケース１７は、互いに対向して配置されるとともに、ネジ１８（図２）等の固定部材により互いに固定される。なお、図２では、複数のネジ１８のうち、フロントケース１５に挿通され、リアケース１７に螺合されるネジ１８の一部を例示している。フロントケース１５とリアケース１７との間には、図３（ａ）に示すように第１収容空間Ｓ１が形成される。第１収容空間Ｓ１には、スピーカ８３や不図示の回路基板等の種々の電子部品が収容される。
【００２６】
フロントケース１５は、例えば、インサート成形により形成され、樹脂部２３と、樹脂部２３に埋設された板金部２５とを有している。樹脂部２３は、枠状に形成されており、板金部２５は、樹脂部２３の開口において露出している。フロントケース１５の正面側には、表示部９を構成する表示装置２７（図３（ａ））が収容される凹部１５ａが形成されている。なお、フロントケース１５は、全体が樹脂により形成されていてもよい。リアケース１７は、例えば、樹脂により構成されている。また、リアケース１７は、例えば、フロントケース１５側が開放された箱状に形成されている。
【００２７】
透光板１９は、表示装置２７の表示面を露出させつつ、表示装置２７を保護するためのものである。透光板１９は、例えば、透光性の樹脂やガラスにより形成されている。透光板１９は、凹部１５ａの開口を塞ぐように、両面テープ２９によってフロントケース１５の樹脂部２３に接着される。これにより、透光板１９とフロントケース１５との間には、表示装置２７が収容される第２収容空間Ｓ２（図３）が形成される。
【００２８】
なお、第２収容空間Ｓ２は、フロントケース１５の板金部２５に形成された挿通孔２５ａ（図２）により第１収容空間Ｓ１と連通されている。挿通孔２５ａには、表示装置２７と、第１収容空間Ｓ１に収容された電子部品とを接続する不図示のＦＰＣ等が挿通される。
【００２９】
化粧板２１は、第２筐体５のデザイン性を向上させるためのものである。例えば、化粧板２１は、透光板１９とは異なる外観を構成したり、ネジ１８や後述する通気孔等を隠したりすることにより、デザイン性を向上させる。化粧板２１は、例えば、樹脂により構成されている。化粧板２１は、両面テープ３１によりフロントケース１５の樹脂部２３に接着される。
【００３０】
スピーカ８３は、孔部１１に対して放音面８３ａを対向させて配置されている。スピーカ８３は、例えば、概ね直方体状に形成されている。ただし、円形等に形成されていてもよい。
【００３１】
第２筐体５は、防水機能を有するように構成されている。具体的には、以下のとおりである。
【００３２】
フロントケース１５とリアケース１７との合せ目には、環状のパッキン３３が配置される。これにより、フロントケース１５とリアケース１７との合せ目において気密性が維持される。より詳細には、例えば、図２に示すように、リアケース１７には、第１収容空間Ｓ１を囲む溝部１７ｂが形成されており、パッキン３３は溝部１７ｂに配置される。一方、フロントケース１５の溝部１７ｂと対向する部分には、図３（ｂ）に示すように、溝部１７ｂに挿入される突条部１５ｂが形成されている。ネジ１８が螺合されると、パッキン３３が突条部１５ｂと溝部１７ｂとの間で押し潰される。なお、パッキン３３の位置決め及び圧縮を行うための構造は、突条部１５ｂ及び溝部１７ｂに限定されず、適宜に変更されてよい。
【００３３】
ネジ１８は、パッキン３３に囲まれる領域の外側に配置される。これにより、ネジ１８を挿通する孔部は、気密性に影響しない。ただし、ネジ１８はパッキン３３に囲まれる領域の内側に配置されていてもよい。この場合であっても、透光板１９等によってネジ１８を挿通する孔部の気密性を保つことが可能である。
【００３４】
透光板１９とフロントケース１５とを接着する両面テープ２９は、気密性を有する材料により構成されている。例えば、両面テープ２９は、可撓性の樹脂やゴム等の両面に接着剤が塗布されて構成されている。そして、図３（ｃ）に示すように、両面テープ２９は、透光板１９とフロントケース１５とに密着する。また、図２に示すように、両面テープ２９は、第２収容空間Ｓ２を囲む枠状に形成されている。従って、透光板１９とフロントケース１５との合せ目において気密性が維持される。
【００３５】
図４は、孔部１１付近（図３の領域ＩＶ参照）における模式的な分解斜視図である。また、図５は、図１のＶ−Ｖ線における模式的な断面図である。なお、図４では、図示の都合上、化粧板２１やフロントケース１５等を適宜に破断して示している。
【００３６】
上述のように、フロントケース１５には、両面テープ３１及び化粧板２１が順に積層されている。これらの部材には、スピーカ８３の音響を出力するとともに、第２筐体５の通気性を確保するための孔部１１を構成する複数の孔が形成されている。具体的には、以下のとおりである。
【００３７】
フロントケース１５には、スピーカ８３の音響を筐体外部へ放音するための音孔４１と、筐体本体１３の通気性を確保するための通気孔４３とが形成されている。両面テープ３１には、音孔４１及び通気孔４３に接続される連通孔４５が形成されている。化粧板２１には、連通孔４５に接続される外側孔４７が形成されている。
【００３８】
音孔４１は、例えば、長孔状に形成されている。通気孔４３は、例えば、音孔４１の長手方向において音孔４１に隣接しており、また、円形状に形成されている。音孔４１の開口面積は、通気孔４３の開口面積よりも大きい。
【００３９】
外側孔４７は、音孔４１及び通気孔４３の少なくとも一方と重ならない位置に配置されている。例えば、外側孔４７は、音孔４１と重なり、通気孔４３に重ならない位置に設けられている。従って、通気孔４３は、化粧板２１によって隠され、音孔４１から露出しない。
【００４０】
また、外側孔４７は、開口面積が、音孔４１及び通気孔４３それぞれの開口面積以上となり、音孔４１及び通気孔４３の開口面積の和よりも小さくなるように形成されている。例えば、外側孔４７は、音孔４１及び通気孔４３のうち大きい方の孔、すなわち、音孔４１と同等の開口面積に形成されている。また、外側孔４７は、音孔４１と同様の形状に形成されている。
【００４１】
連通孔４５は、音孔４１及び通気孔４３、並びに、外側孔４７に重なるように形成されている。従って、音孔４１及び通気孔４３は、連通孔４５によって、共に、外側孔４７に接続される。具体的には、連通孔４５は、音孔４１及び外側孔４７と重なり、音孔４１及び外側孔４７と同等以上の大きさを有する長孔状部分と、当該長孔状部分から通気孔４３に延び、上記長孔状部分よりも細い部分とを有している。
【００４２】
第２筐体５では、孔部１１においても、防水機能が得られるように構成されている。具体的には、以下のとおりである。
【００４３】
化粧板２１とフロントケース１５とを接着する両面テープ３１は、両面テープ２９と同様に、気密性を有する材料により構成されている。例えば、両面テープ３１は、可撓性の樹脂やゴム等の両面に接着剤が塗布されて構成されている。フロントケース１５には、両面テープ３１と同等の厚さを有し、両面テープ３１が収容される凹部１５ｃが形成されている。両面テープ３１は、凹部１５ｃにおいて、化粧板２１とフロントケース１５とに密着する。
【００４４】
また、両面テープ３１は、音孔４１及び通気孔４３に重なる連通孔４５が形成されることにより、音孔４１及び通気孔４３を囲む枠状に形成されている。従って、音孔４１及び通気孔４３の周囲において、化粧板２１とフロントケース１５との合せ面において気密性が維持される。換言すれば、化粧板２１は、音孔４１及び通気孔４３が形成される領域を筐体本体１３の外側から密閉する。その結果、化粧板２１とフロントケース１５との合わせ面から侵入した水分が音孔４１及び通気孔４３に侵入することが抑制される。
【００４５】
音孔４１及び通気孔４３は、防水性及び通気性を有する防水シート４９によって塞がれる。防水シート４９は、例えば、空気等の気体が通過可能且つ水等の液体が通過不可能な微細な複数の孔部が形成されたシートにより形成されている。防水シートの材料は、例えば樹脂であり、また、水等をはじく材料であることが好ましい。防水シート４９は、例えば、フロントケース１５の筐体内側面に対して、音孔４１及び通気孔４３の周囲において、接着剤により貼り付けられている。なお、防水シートは、フロントケース１５の外側に配置されていてもよい。
【００４６】
図６は、携帯電話機１の信号処理系の構成の一例を示すブロック図である。
【００４７】
携帯電話機１は、ＣＰＵ７１、メモリ７３、通信処理部７５、音響処理部７７及び画像処理部７９を有している。これら各部は、第１筐体３及び第２筐体５内に設けられたＩＣ等により構成されている。
【００４８】
ＣＰＵ７１及びメモリ７３は、操作部７等の各種手段からの信号に基づいて所定の演算を行い、画像処理部７９等の各種手段の制御を実行する制御部として機能する。
【００４９】
通信処理部７５は、電波を利用した無線通信により、通信システム（電話網やインターネット）を介した他の携帯端末装置やサーバとの通信を行う。具体的には、通信処理部７５は、ＣＰＵ７１で処理された音響データ、画像データ等の各種データを変調して、変調された信号をアンテナ８１を介して送信する。また、通信処理部７５は、アンテナ８１を介して受信した信号を復調し、復調したデータをＣＰＵ７１に出力する。
【００５０】
音響処理部７７は、ＣＰＵ７１からの音響データを電気信号に変換して、その信号を、通話用のスピーカ８３、又は、報知音等を出力するスピーカ８５に出力する。スピーカ８３及びスピーカ８５は、音響処理部７７からの電気信号を音響に変換し、その音響を出力する。一方、マイクロフォン８７は、入力された音響を電気信号に変換し、その信号を音響処理部７７に出力する。音響処理部７７は、マイクロフォン８７からの電気信号を音響データに変換し、その音響データをＣＰＵ７１に出力する。
【００５１】
画像処理部７９は、ＣＰＵ７１からの画像データを画像信号に変換し、その信号を表示部９へ出力する。また、画像処理部７９は、撮像部８９から出力される撮像信号（画像データ）を所定のフォーマットの画像データに変換し、その画像データをＣＰＵ７１へ出力する。
【００５２】
以上の携帯電話機１の製造方法について説明する。
【００５３】
まず、音孔４１及び通気孔４３が形成され、筐体本体１３を構成するフロントケース１５を形成する。
【００５４】
次に、音孔４１に筐体本体１３の内部側から対向するスピーカ８５を配設する。当該配設は、フロントケース１５とリアケース１７とを固定するときに行われてもよいし、それ以前にスピーカ８５がフロントケース１５に対して固定されることにより行われていてもよい。
【００５５】
また、防水シート４９を音孔４１及び通気孔４３を閉塞するように配設する。当該配設は、スピーカ８５の配設よりも前に行われても後に行われてもよい。ただし、防水シート４９がフロントケース１５とスピーカ８５との間に配置される場合には、防水シート４９の配設は、スピーカ８５の配設よりも前又はスピーカ８５の配設と同時に行われる。
【００５６】
また、外側孔４７が形成された化粧板２１を、連通孔４５が形成された両面テープ３１により、フロントケース１５に接着する。すなわち、化粧板２１により音孔４１及び通気孔４３が形成された領域を筐体外側から密閉する。当該密閉は、スピーカ８５の配設及び防水シート４９の配設よりも前に行われても後に行われてもよい。ただし、防水シート４９がフロントケース１５の外側に配置され、化粧板２１により防水シート４９を覆う場合には、密閉は、防水シート４９の配設よりも前に行われる。
【００５７】
その後、筐体本体１３内に気体を供給して筐体本体１３内の気圧を筐体本体１３外の気圧よりも高くし、筐体本体１３からの気体の漏れの有無を調べることにより、筐体本体１３の密閉性を検査する。
【００５８】
当該検査においては、外側孔４７から筐体本体１３内へ気体を供給する。又は、外側孔４７を塞いだ状態で不図示の他の孔部から筐体本体１３内へ気体を供給する。
【００５９】
なお、筐体本体１３から気体を排出することにより、筐体本体１３内の気圧を筐体本体１３外の気圧よりも低くし、筐体本体１３内への空気の侵入の有無を調べることにより、筐体本体の密閉性を検査することも可能である。この場合は、外側孔４７から筐体本体１３外へ気体を排出し、又は、外側孔４７を塞いだ状態で不図示の他の孔部から筐体本体１３外へ気体を排出する。
【００６０】
以上の実施形態によれば、携帯電話機１は、音孔４１及び通気孔４３が形成された筐体本体１３と、音孔４１に対向して筐体本体１３の内部に配設されたスピーカ８３と、防水性及び通気性を有し、音孔４１及び通気孔４３を閉塞する防水シート４９とを有する。また、携帯電話機１は、音孔４１及び通気孔４３が形成された領域を筐体本体１３の外側から密閉し、且つ、音孔４１及び通気孔４３を介して筐体本体１３の内部に形成される空間と外部の空間とを連通する外側孔４７が形成された化粧板２１を有する。
【００６１】
従って、防水性を維持しつつ、音孔４１とは別に設けられた通気孔４３により安定した通気性が確保される。さらに、音孔４１と通気孔４３とは、一つの外側孔４７に共通に接続されることから、気密検査の際には、一つの外側孔４７に対して閉塞又は気体の供給等を行えばよく、音孔４１及び通気孔４３のそれぞれに対して、閉塞又は気体の供給等を行う必要がない。
【００６２】
外側孔４７の開口面積は、音孔４１及び通気孔４３それぞれの開口面積以上であり、音孔４１及び通気孔４３の開口面積の和よりも小さい。従って、音孔４１による音響の出力、及び、通気孔４３による圧力差の緩和の機能を十分に維持しつつ、第２筐体５の表面における開口面積を小さくして、デザイン性や防塵・防水性を向上できる。また、気密検査時において閉塞等を行うことが容易化される。
【００６３】
外側孔４７は、通気孔４３と重ならない位置に配置されている。従って、化粧板２１は、通気孔４３を隠すことができる。防水シート４９が筐体本体１３の内部側に設けられている場合には、通気孔４３を介して視認される可能性のある防水シート４９を隠すこともできる。その結果、第２筐体５のデザイン性が向上する。また、従来は、通気孔４３を隠すためには、通気孔４３を閉塞し又は通気孔４３に気体を供給し、気密検査を行い、その後に、通気孔４３が形成された領域を目隠し部材（化粧板２１）により密閉しないように覆わなければならなかった。しかし、本実施形態では、通気孔４３は、化粧板２１により密閉され、且つ、化粧板２１に形成された外側孔４７に接続されるから、化粧板２１を取り付けた後に気密検査を行うことができる。その結果、最終的な製品の状態において気密検査を行うことができるとともに、作業効率を向上させることができる。
【００６４】
音孔４１及び通気孔４３は隣接して筐体本体１３に形成されている。従って、化粧板２１は、必要に応じて小型化することができる。また、音孔４１と外側孔４７との距離、通気孔４３と外側孔４７との距離との双方を短縮して、音孔４１及び通気孔４３の機能を十分に発揮させることが容易化される。
【００６５】
携帯電話機１は、筐体本体１３と化粧板２１との間に配置され、一方の面が筐体本体１３に貼り付けられ、他方の面が化粧板２１に貼り付けられる両面テープ３１を有する。両面テープ３１には、音孔４１及び通気孔４３と、外側孔４７とを連通する連通孔４５が形成されている。すなわち、化粧板２１を筐体本体１３に密着させる部材により、音孔４１及び通気孔４３と、外側孔４７とが気密に連通される。従って、簡素な構成で、音孔４１及び通気孔４３と、外側孔４７との連通がなされる。また、音孔４１及び通気孔４３と、外側孔４７との種々の位置関係に対して、連通孔４５の形状を変化させるだけで、音孔４１及び通気孔４３と、外側孔４７とを連通することができ、設計の自由度が高い。その結果、上述のような、外側孔４７を通気孔４３に重ならない位置に設けて化粧板２１により通気孔４３を隠すことも容易に実現される。
【００６６】
筐体本体１３の外側面には、両面テープ３１が収容される、両面テープ３１の厚さと同等の深さの、凹部１５ｃが形成されている。従って、図５に示すように、両面テープ３１の筐体外側の面と、フロントケース１５の筐体外側の面とは、面一になる。そして、化粧板２１は、その面一になった平面又は曲面と同一形状の面を両面テープ３１及びフロントケース１５の筐体外側面に当接させることができる。その結果、フロントケース１５と化粧板２１との隙間から水分が侵入することが一層抑制される。また、化粧板２１の取り付けも容易となる。
【００６７】
音孔４１に対向して設けられる音響装置は、スピーカ８３である。上述のように、音孔４１が形成される領域は、化粧板２１により密閉されている。従って、スピーカ８３の出力した音響は、化粧板２１と筐体本体１３との合せ目等の意図しない位置から第２筐体５の外部へ漏れることが抑制される。すなわち、携帯電話機１は、スピーカ８３の出力した音響を外側孔４７から集中的に出力させることができる。このような効果は、特に、通話用のスピーカのように、ユーザが耳を近付けるスピーカ（音が広い範囲に漏れることが好ましくないスピーカ）において有効である。
【００６８】
音孔４１及び通気孔４３が形成された領域を密閉する部材は、携帯電話機１の外観を構成する化粧板２１である。従って、デザイン性を高めるための化粧板２１が、音孔４１と通気孔４３とに共通に接続される外側孔４７が形成される部材を兼ねることになり、筐体構造が簡素化される。
【００６９】
なお、以上の実施形態において、携帯電話機１は本発明の電子機器の一例であり、筐体本体１３、又は、筐体本体１３及び透光板１９は本発明の筐体の一例であり、音孔４１は本発明の第１の孔部の一例であり、通気孔４３は本発明の第２の孔部の一例であり、スピーカ８３は本発明の音響装置及び放音装置の一例であり、防水シート４９は本発明の閉塞部材の一例であり、化粧板２１は本発明の密閉部材の一例であり、外側孔４７は本発明の第３の孔部の一例であり、両面テープ３１は本発明の両面接着部材の一例であり、連通孔４５は本発明の第４の孔部の一例であり、フロントケース１５はケース部材の一例である。
【００７０】
本発明は、以上の実施形態に限定されず、種々の態様で実施されてよい。
【００７１】
携帯電子機器は、携帯電話機に限定されない。例えば、携帯電子機器は、ノートパソコン、ＰＤＡ、ゲーム機、カメラであってもよい。また、携帯電子機器の筐体は、折り畳み式のものに限定されない。筐体は、一体的に構成されたもの（１つのみの筐体）であってもよいし、２以上の筐体が折り畳み式以外の方式（スライド式等）により相対移動可能に連結されたものであってもよい。
【００７２】
第１の孔部（４１）及び第２の孔部（４３）が形成された領域の密閉方法は、両面接着部材（３１）により密閉部材（２１）を接着する方法に限定されない。例えば、密閉部材と筐体との間に環状のパッキンを配置し、パッキンの外側において密閉部材と筐体とをネジまたは係合部により固定してもよい。
【００７３】
なお、密閉部材（２１）は、第３の孔部（４７）が形成されているから、第１の孔部及び第２の孔部が形成された領域を完全に密閉するわけではない。ただし、本願では、第１の孔部及び第２の孔部が第３の孔部と気密に接続されるように密閉部材が筐体に対して取り付けられれば、密閉部材は第１の孔部及び第２の孔部が形成された領域を密閉しているというものとする。
【００７４】
第１〜第３の孔部の位置関係及び開口面積の相対関係は、適宜に設定されてよく、実施形態に示されたものに限定されない。例えば、第３の孔部（４７）は、第２の孔部（４３）だけでなく、第１の孔部（４１）とも重ならない位置に配置されてもよい。この場合、携帯電子機器の適宜な位置から音響の出力や入力を行うことができる等のメリットがある。また、例えば、第３の孔部は、第１の孔部よりも小さくてもよい。この場合、放音装置からの音を集約して第３の孔部から出力することができる等のメリットがある。
【００７５】
第３の孔部は、密閉部材（２１）に形成されるものに限定されない。例えば、密閉部材の筐体に当接する部分、若しくは、筐体の密閉部材に当接する部分、又は、その双方に切り欠き部が設けられることなどにより、密閉部材と筐体との合せ目に第３の孔部が構成されてもよい。なお、この場合も、密閉部材が第３の孔部を構成しているといえる。なお、第３の孔部が密閉部材と筐体との合せ目において形成される場合には、第３の孔部を形成する工程は、密閉部材により第１の孔部及び第２の孔部が形成された領域を密閉する工程と同時に行われる。第３の孔部が密閉部材に形成される場合には、第３の孔部は、例えば、射出成形により密閉部材を形成するときに構成される。
【００７６】
第１の孔部及び第２の孔部と、第３の孔部とを気密に接続する孔部は、両面接着部材に形成された平面状の第４の孔部に限定されない。筐体本体と密閉部材との間に他の樹脂部材を介在させることなどにより、立体的に形成されていてもよい。
【００７７】
音響装置は、スピーカに限定されない。例えば、マイクロフォンであってもよい。また、放音装置も、スピーカに限定されない。例えば、ベルであってもよい。
【図面の簡単な説明】
【００７８】
【図１】本発明の実施形態の携帯電話機を開状態で示す外観斜視図。
【図２】図１の携帯電話機の第２筐体の要部の模式的な分解斜視図。
【図３】図１のＩＩＩａ−ＩＩＩａ線における模式的な断面図及びその一部拡大図。
【図４】図３の領域ＩＶにおける模式的な分解斜視図。
【図５】図１のＶ−Ｖ線における模式的な断面図。
【図６】図１の携帯電話機の信号処理系の構成を示すブロック図。
【符号の説明】
【００７９】
１…携帯電話機（携帯電子機器）、１３…筐体本体（筐体）、２１…化粧板（密閉部材）、４１…音孔（第１の孔部）、４３…通気孔（第２の孔部）、４７…外側孔（第３の孔部）、４９…防水シート（閉塞部材）、８３…スピーカ（音響装置）。
【図１】
2010109851.tif 000003
【図２】
2010109851.tif 000004
【図３】
2010109851.tif 000005
【図４】
2010109851.tif 000006
【図５】
2010109851.tif 000007
【図６】
2010109851.tif 000008